(57)【要約】  【課題】  ＬＥＤ灯具とフラットケーブルを、確実に安定して接続できる接続構造を提供する。  【解決手段】  一対のリード部２０を有するＬＥＤ灯具１０と、複数本のフラット導体２２に一括絶縁被覆２４を施したフラットケーブル１２との接続構造である。接続子板部２６の両側にフラットケーブルのフラット導体に突き刺さる突き刺し片２８を突設した接続子１４を用いる。ＬＥＤ灯具のリード部２０に、フラットケーブルのフラット導体２２よりも幅が狭く、フラット導体方向に伸びる接続タブ部３２を設ける。この接続タブ部３２をフラットケーブルのフラット導体２２に相当する部分に重ね、接続子１４の突き刺し片２８を、接続タブ部３２の両側でフラット導体２２に突き刺して貫通させ、貫通した部分を内側にカールさせてかしめる。【選択図】    図１
2005050986.tif 000002
【特許請求の範囲】
【請求項１】
一対のリード部を有するＬＥＤ灯具と、複数本のフラット導体に一括絶縁被覆を施したフラットケーブルとの接続構造であって、
接続子板部の両側にフラットケーブルのフラット導体に突き刺さる突き刺し片を突設した接続子を用い、
ＬＥＤ灯具のリード部に、フラットケーブルのフラット導体よりも幅が狭く、フラット導体方向に伸びる接続タブ部を設け、
この接続タブ部をフラットケーブルのフラット導体に相当する部分に重ね、前記接続子の突き刺し片を、接続タブ部の両側でフラット導体に突き刺して貫通させ、貫通した部分を内側にカールさせてかしめた、
ことを特徴とするＬＥＤ灯具とフラットケーブルの接続構造。
【請求項２】
請求項１記載の接続構造であって、ＬＥＤ灯具のリード部はフラットケーブルのフラット導体よりも広い幅を有しており、そのリード部にフラット導体方向にスリットを入れることによりフラット導体よりも幅の狭い接続タブ部を形成したことを特徴とするＬＥＤ灯具とフラットケーブルの接続構造。
【請求項３】
請求項１又は２記載の接続構造であって、接続子の内面を接続タブ部の両側面に密接させたことを特徴とするＬＥＤ灯具とフラットケーブルの接続構造。
【請求項４】
一対のリード部を有するＬＥＤ灯具と、複数本のフラット導体に一括絶縁被覆を施したフラットケーブルとを接続する方法であって、
接続子板部の両側にフラットケーブルのフラット導体に突き刺さる突き刺し片を突設した接続子を用い、
ＬＥＤ灯具のリード部に、フラットケーブルのフラット導体よりも幅が狭く、フラット導体方向に伸びる接続タブ部を設け、
この接続タブ部をフラットケーブルのフラット導体に相当する部分に重ね、前記接続子の突き刺し片を、接続タブ部の両側でフラット導体に突き刺して貫通させるときに、接続子の内面で接続タブ部の両側面を擦りながら貫通させ、貫通した部分を内側にカールさせてかしめる、
ことを特徴とするＬＥＤ灯具とフラットケーブルの接続方法。
【請求項５】
一対のリード部を有するＬＥＤ灯具と、複数本のフラット導体に一括絶縁被覆を施したフラットケーブルとの接続構造であって、
一端側に雌端子部を、他端側に接続子部を有し、接続子部が前記雌端子部とつながる接続子板部の両側にフラットケーブルのフラット導体に突き刺さる突き刺し片を突設したものからなる接続部材を使用し、
ＬＥＤ灯具のリード部にフラットケーブルのフラット導体方向に伸びる接続タブ部を設け、
このＬＥＤ灯具の接続タブ部を前記接続部材の雌端子部に挿入し、接続部材の突き刺し片を、フラットケーブルのフラット導体に突き刺して貫通させ、貫通した部分を内側にカールさせてかしめた、
ことを特徴とするＬＥＤ灯具とフラットケーブルの接続構造。
【請求項６】
一対のリード部を有するＬＥＤ灯具と、電線との接続構造であって、
前記ＬＥＤ灯具のリード部に接続タブ部を設け、この接続タブ部を前記ＬＥＤ灯具を保持するハウジングの、外面に開口するキャビティ内に位置させ、
前記電線の端部に雌端子を取り付け、この雌端子を前記キャビティに挿入してＬＥＤ灯具の接続タブ部と嵌合した、
ことを特徴とするＬＥＤ灯具と電線の接続構造。
【発明の詳細な説明】
【技術分野】
【０００１】
本発明は、車両用のＬＥＤ（発光ダイオード）灯具とフラットケーブルとの接続構造及び接続方法に関するものである。
【背景技術】
【０００２】
従来、車両用ＬＥＤ灯具と配線材との接続は、ＬＥＤ灯具の底面に形成されたリードを回路基板に半田付けすることにより行われていた。しかし半田付けにはいくつかの欠点があるため、それを改善するものとして、ＬＥＤ灯具のリードを、半田付けによることなく、ワイヤハーネスの丸電線に直接接続する方法が提案されている（特許文献１、２）。
【０００３】
【特許文献１】特開２００１−４４５１０号公報
【特許文献２】特開平１０−２０８５１５号公報
【０００４】
一方、自動車等の車内配線には、丸電線を束ねたワイヤハーネスに比べ、配線のスペースファクタがよく、放熱性に優れ、電流容量も大きいフラットケーブルが使用されるようになってきている。フラットケーブルは、平行配置された複数本のフラット導体に、押出被覆又はプラスチックフィルムの張り合わせ等により一括絶縁被覆を施したものである。
【発明の開示】
【発明が解決しようとする課題】
【０００５】
しかし、上記のような利点のあるフラットケーブルにＬＥＤ灯具を、半田付けによることなく、確実に安定して接続する手段はまだ開発されていない。
【０００６】
そこで本発明の目的は、ＬＥＤ灯具とフラットケーブルを、確実に安定して接続できる接続構造及び接続方法を提供することにある。
【課題を解決するための手段】
【０００７】
本発明は、一対のリード部を有するＬＥＤ灯具と、複数本のフラット導体に一括絶縁被覆を施したフラットケーブルとの接続構造であって、
接続子板部の両側にフラットケーブルのフラット導体に突き刺さる突き刺し片を突設した接続子を用い、
ＬＥＤ灯具のリード部に、フラットケーブルのフラット導体よりも幅が狭く、フラット導体方向に伸びる接続タブ部を設け、
この接続タブ部をフラットケーブルのフラット導体に相当する部分に重ね、前記接続子の突き刺し片を、接続タブ部の両側でフラット導体に突き刺して貫通させ、貫通した部分を内側にカールさせてかしめた、
ことを特徴とするものである。
【０００８】
本発明の接続構造において、ＬＥＤ灯具のリード部がフラットケーブルのフラット導体よりも広い幅を有している場合には、そのリード部にフラット導体方向にスリットを入れることによりフラット導体よりも幅の狭い接続タブ部を形成することが好ましい。
【０００９】
本発明の接続構造では、接続子の内面を接続タブ部の両側面に密接させることで、電気的、熱的に良好な導通状態を得ることが好ましい。
【００１０】
また接続子の内面を接続タブ部の両側面に密接させる接続方法としては、
接続子板部の両側にフラットケーブルのフラット導体に突き刺さる突き刺し片を突設した接続子を用い、
ＬＥＤ灯具のリード部に、フラットケーブルのフラット導体よりも幅が狭く、フラット導体方向に伸びる接続タブ部を設け、
この接続タブ部をフラットケーブルのフラット導体に相当する部分に重ね、前記接続子の突き刺し片を、接続タブ部の両側でフラット導体に突き刺して貫通させるときに、接続子の内面で接続タブ部の両側面を擦りながら貫通させ、貫通した部分を内側にカールさせてかしめる、という方法を採用することが好ましい。
【００１１】
このほか、本発明に係るＬＥＤ灯具とフラットケーブルとの接続構造は、
一端側に雌端子部を、他端側に接続子部を有し、接続子部が前記雌端子部とつながる接続子板部の両側にフラットケーブルのフラット導体に突き刺さる突き刺し片を突設したものからなる接続部材を使用し、
ＬＥＤ灯具のリード部にフラットケーブルのフラット導体方向に伸びる接続タブ部を設け、
このＬＥＤ灯具の接続タブ部を前記接続部材の雌端子部に挿入し、接続部材の突き刺し片を、フラットケーブルのフラット導体に突き刺して貫通させ、貫通した部分を内側にカールさせてかしめた、
構成とすることもできる。
【００１２】
また本発明は、一対のリード部を有するＬＥＤ灯具と、電線との接続構造を提供するもので、その構成は、
前記ＬＥＤ灯具のリード部に接続タブ部を設け、この接続タブ部を前記ＬＥＤ灯具を保持するハウジングの、外面に開口するキャビティ内に位置させ、
前記電線の端部に雌端子を取り付け、この雌端子を前記キャビティに挿入してＬＥＤ灯具の接続タブ部と嵌合した、
ことを特徴とするものである。
【発明の効果】
【００１３】
本発明によれば、ＬＥＤ灯具とフラットケーブルを、半田付けによることなく、確実に安定して、しかも簡単に、接続することができる。
【発明を実施するための最良の形態】
【００１４】
〔実施形態１〕  図１は本発明の一実施形態を示す。図において、１０はＬＥＤ灯具、１２はフラットケーブル、１４は接続子である。
【００１５】
ＬＥＤ灯具１０は、ＬＥＤ本体１６のベース部１８の下面に一対のリード部２０を設けたものである。リード部２０は板状で、外に向けてＬ形に屈曲されている。
【００１６】
フラットケーブル１２は、平行配置された複数本（図示の例は２本）のフラット導体２２に、押出被覆又はプラスチックフィルムの張り合わせ等により一括絶縁被覆２４を施したものである。
【００１７】
接続子１４は金属製で、図２に示すように、接続子板部２６の両側にフラットケーブルのフラット導体に突き刺さる突き刺し片２８を形成したものである。突き刺し片２８は、図示の例では、片側に３本ずつ、千鳥配置となるように形成されている。
【００１８】
ＬＥＤ灯具１０の標準品は、リード部２０の幅がフラットケーブルのフラット導体２２の幅よりも広いので、リード部２０には、フラット導体方向にスリット３０を入れることにより、フラット導体よりも幅の狭い、フラット導体方向に伸びる接続タブ部３２が形成されている。接続タブ部３２を形成する位置は、ＬＥＤ灯具１０をフラットケーブル１２上に載置したとき、接続タブ部３２がフラット導体２２の幅方向の中央部に重なるように定められる。
【００１９】
一方、接続子１４の外面幅Ｗ1（図２参照）はフラット導体の幅よりも狭く設定され、内面幅Ｗ2は接続タブ部３２の幅と同じかそれより若干小さく設定されている。
【００２０】
ＬＥＤ灯具１０とフラットケーブル１２との接続は、フラットケーブル１２の絶縁被覆２４を剥ぐことなく、ＬＥＤ灯具１０の接続タブ部３２をフラットケーブル１２のフラット導体２２に相当する位置に重ね、接続子１４を接続タブ部３２に跨らせ、突き刺し片２８を接続タブ部３２の両側でフラット導体２２に突き刺して貫通させ、貫通した部分を内側にカールさせてかしめることにより行われる。内側にカールした突き刺し片２８の先端部はフラットケーブル１２の下面に突き当たる。
【００２１】
これにより接続タブ部３２とフラット導体２２は、半田付けなしで、接続子１４を介して電気的に接続される。特に接続子１４の内面幅Ｗ2を上記のように設定しておくと、接続子１４の突き刺し片２８がフラットケーブル１２を突き刺し貫通するときに、接続子１４の内面で接続タブ部３２の両側面を擦りながら貫通することになるため、接続子１４と接続タブ部３２が清浄な面で密接するようになり、両者の良好な電気的接続状態を得ることができる。またこれにより接続タブ部３２からフラット導体２２への伝熱性もよくなるため、ＬＥＤ灯具１０で発生する熱をフラット導体２２に逃がして放熱性を高めることもできる。
【００２２】
なお図１の実施形態では、接続子１４の突き刺し片２８を、接続タブ部３２側からフラットケーブル１２に突き刺し、フラットケーブルの下面側でかしめる場合を説明したが、図３に示すように、接続子１４の突き刺し片２８を、接続タブ部３２と反対側からフラットケーブル１２に突き刺し、接続タブ部３２の上面側でかしめる構造にしてもよい。
【００２３】
〔実施形態２〕  図４は本発明の他の実施形態を示す。この実施形態は、ＬＥＤ灯具１０がフラットケーブル１２のフラット導体２２よりも幅の狭いリード部２０を有している場合である。この場合はリード部２０の先端部がそのまま接続タブ部３２となるので、接続子１４で接続タブ部３２とフラット導体２２とを接続すればよい。上記以外の構成は実施形態１と同様であるので、同一部分には同一符号を付して説明を省略する。
【００２４】
〔実施形態３〕  図５は本発明のさらに他の実施形態を示す。この実施形態は、ＬＥＤ灯具１０の接続タブ部３２とフラットケーブル１２のフラット導体２２との接続に、図６に示すような接続部材３４を使用するものである。
【００２５】
接続部材３４は、一端側に雌端子部３６を、他端側に接続子部３８を有するものである。接続子部３８は、図２の接続子１４と同様の形態で、接続子板部２６の両側にフラットケーブルのフラット導体に突き刺さる突き刺し片２８を突設したものである。接続子部３８は、接続子板部２６の一端側で雌端子部３６とつながっている。
【００２６】
ＬＥＤ灯具１０のリード部２０には、実施形態１と同様、スリット３０を入れることにより、フラットケーブル１２のフラット導体２２方向に伸びる接続タブ部３２が形成されている。
【００２７】
前記ＬＥＤ灯具１０の接続タブ部３２とフラットケーブル１２のフラット導体２２との接続は、接続タブ部３２を接続部材３４の雌端子部３６に挿入し、接続部材３４の突き刺し片２８を、フラットケーブル１２のフラット導体２２に突き刺して貫通させ、貫通した部分を内側にカールさせてかしめることにより行われる。上記以外の構成は実施形態１と同様であるので、同一部分には同一符号を付して説明を省略する。
【００２８】
〔実施形態４〕  図７は本発明のさらに他の実施形態を示す。この実施形態は、ＬＥＤ灯具１０と丸電線４０との接続構造である。ＬＥＤ灯具１０のリード部２０には接続タブ部３２を設け、ＬＥＤ灯具１０はハウジング４２に保持させる。ハウジング４２には外面に開口するキャビティ４４を形成し、このキャビティ４４内に前記接続タブ部３２を位置させる。電線４０の端部には雌端子４６を取り付ける。
【００２９】
ＬＥＤ灯具１０の接続タブ部３２と電線４０との接続は、電線４０の端部に取り付けた雌端子４６をハウジング３２のキャビティ４４に挿入し、キャビティ４４内で接続タブ部３２と嵌合することにより行う。
【図面の簡単な説明】
【００３０】
【図１】本発明に係る接続構造及び接続方法の一実施形態を示す、（Ａ）は平面図、（Ｂ）は正面図、（Ｃ）は底面図、（Ｄ）は（Ｂ）のＤ−Ｄ線断面図。
【図２】図１の接続構造に用いた接続子の、（Ａ）は正面図、（Ｂ）は側面図。
【図３】図１の接続構造の変形例を示す断面図。
【図４】本発明に係る接続構造の他の実施形態を示す、（Ａ）は平面図、（Ｂ）は正面図、（Ｃ）は底面図。
【図５】本発明に係る接続構造のさらに他の実施形態を示す、（Ａ）は平面図、（Ｂ）は正面図、（Ｃ）は底面図、（Ｄ）は（Ｂ）のＤ−Ｄ線断面図。
【図６】図５の接続構造に用いた接続子の、（Ａ）は正面図、（Ｂ）は側面図。
【図７】本発明に係る接続構造のさらに他の実施形態を示す断面図。
【符号の説明】
【００３１】
１０：ＬＥＤ灯具
１２：フラットケーブル
１４：接続子
１６：ＬＥＤ本体
１８：ベース部
２０：リード部
２２：フラット導体
２４：一括絶縁被覆
２６：接続子板部
２８：突き刺し片
３０：スリット
３２：接続タブ部
３４：接続部材
３６：雌端子部
３８：接続子部
【図１】
2005050986.tif 000003
【図２】
2005050986.tif 000004
【図３】
2005050986.tif 000005
【図４】
2005050986.tif 000006
【図５】
2005050986.tif 000007
【図６】
2005050986.tif 000008
【図７】
2005050986.tif 000009